(57)【要約】  細長い部材を含む宝飾品のための留め金、留め金であって、細長い部材の第一の端部に固定するための雌型端部部品を含み、雌型端部部品は、第一押しボタン固定手段を組み込んでおり、細長い部材の第２の端部に固定され、雌型端部部品内に解放可能に固定されるように構成される雄型端部部品を含み、雄型端部部品は、第１押しボタン固定手段の係合部によって作動されるように構成され、これにより、使用時に、第１の押しボタン固定手段の係合部は、雄型端部部品と雌型端部部品との離脱が阻止されるロック位置と、前記雄型端部部品の前記雌型端部部品からの離脱が許容されるロック解除位置との間で移動可能である。細長い部材を含む宝飾品用装飾部品であって、装飾部品は、ハウジング；細長い部材を支持するために前記ハウジングを通過する溝と、ハウジング内のスロットを含み、前記スロットは、実質的に前記溝と平行であり、前記ハウジングの壁を通って前記溝まで通過するように構成され、それにより、使用時に、前記スロットは抵抗するが細長い部材の溝への通過を許容するように構成される。【選択図】図１
2019537488.tif 000002
【特許請求の範囲】
【請求項１】
細長い部材を含む宝飾品用の留め金であって、
−  細長い部材の第１の端部に固定するための雌型端部部品を含み、雌型端部部品は第１の押しボタン固定手段を組み込み、
−  細長い部材の第２の端部に固定するための、雌型端部部品内に解放可能に固定されるように構成された雄型端部部品を含み、雄型端部部品は、第１押しボタン固定手段の係合部によって操作されるように構成される第２の押しボタン固定手段を組み込み、
これにより、使用時に、第１の押しボタン固定手段の係合部は、雄型端部部品の雌型端部部品からの離脱が阻止されるロック位置と、雄形端部構成要素の雌型端部部品からの離脱が可能であるロック解除位置との間で移動可能である、細長い部材を含む宝飾品用の留め金。
【請求項２】
前記第１の押しボタン固定手段が少なくとも１つの付勢手段を組み込んでおり、前記少なくとも１つの付勢手段が、前記ロック位置において前記係合部を前記第２の押しボタン固定手段から離れるように付勢する、請求項１に記載の留め金。
【請求項３】
前記第２の押しボタン固定手段が、少なくとも１つの付勢手段を組み込み、少なくとも１つの付勢手段は、第２の押しボタン固定手段の表面部をロック位置にある第１の押しボタン固定手段の係合部と係合するように付勢するように構成される、請求項１または２に記載の留め金。
【請求項４】
前記少なくとも１つの付勢手段がばねを含む、請求項２または３に記載の留め金。
【請求項５】
前記第１の押しボタン固定手段および前記第２の押しボタン固定手段の軸が、それぞれ前記雌型端部構成要素および前記雄型端部部品の長手方向軸に対して実質的に垂直である、請求項１から４のいずれか一項に記載の留め金。
【請求項６】
ロック位置にあるとき、前記第１の押しボタン固定手段の押しボタン面が前記雌型端部部品の外面と実質的に面一である、請求項１から５のいずれか一項に記載の留め金。
【請求項７】
ロック位置にあるとき、前記第２の押しボタン固定手段の前記表面部分が前記雄型端部部品の外面から突出している、請求項１から６のいずれ一項に記載の留め金。
【請求項８】
前記第２の押しボタン固定手段の前記表面部分は、ロック位置にあるときに前記雄型端部部品が前記雌型端部部品から外れるのを防止するように構成される、請求項１から７のいずれか一項に記載の留め金。
【請求項９】
前記表面部分が前記雌型端部部品の内面に当接する、請求項８に記載の留め金。
【請求項１０】
前記係合部が、前記表面部分をロック位置からロック解除位置へと離脱させるように構成され、それによって前記表面部分が前記雄型端部部品の外面と実質的に面一である、請求項１から９のいずれか１項に記載の留め金。
【請求項１１】
前記雄型端部部品および／または前記雌型端部部品が弾性材料を含む、請求項１から１０のいずれか一項に記載の留め金。
【請求項１２】
前記弾性材料がエラストマーである、請求項１１に記載の留め金。
【請求項１３】
前記エラストマーが高密度ポリウレタンである、請求項１２に記載の留め金。
【請求項１４】
前記雌型端部部品が少なくとも１つの長手方向スロットを含み、それにより、使用時に前記雄型端部部品が前記少なくとも１つのスロット内で嵌合するように構成される、請求項１から１１のいずれか一項に記載の留め金。
【請求項１５】
添付の図面によって示され、図示される本明細書に実質的に記載された留め金。
【請求項１６】
互いに解放可能に接合される第１および第２の反対側の端部を有する宝飾品であって、請求項１から１５のいずれか一項に記載の留め金を組み込んだ宝飾品。
【請求項１７】
細長い部材を含む宝飾品用の装飾部品であって、装飾部品は、
−  ハウジング；
−  細長い部材を支持するために前記ハウジングを通過する溝、および
−  ハウジング内のスロットであって、前記スロットは、前記溝の軸と実質的に平行であり、前記ハウジングの壁を通って前記溝と適切に通過するように構成され、
それによって、使用時に、前記スロットは、細長い部材が溝内に抵抗するが通過することを可能にするように構成される、宝飾品用の装飾部品。
【請求項１８】
前記溝が弾性ライニングを組み込んでいる、請求項１に記載の装飾部品。
【請求項１９】
前記スロットが前記弾性ライニングを組み込んでいる、請求項１８に記載の装飾部品。
【請求項２０】
前記弾性ライニングが少なくとも１つの突出部を組み込んでおり、それによって使用時に前記少なくとも１つの突出部が前記溝を通過する前記細長い部材の移動を防止する、請求項１７から１９のいずれか一項に記載の装飾部品。
【請求項２１】
前記突出部がリッジ形成部を含む、請求項２０に記載の装飾部品。
【請求項２２】
前記ハウジングが、外面内に少なくとも１つの凹部を含み、前記少なくとも１つの凹部が装飾要素を支持するように構成されている、請求項１７から２１のいずれか一項に記載の装飾部品。
【請求項２３】
前記弾性ライニングが、外面上に少なくとも１つのハウジング係合突出部を組み込んでおり、前記ハウジングが、その中に前記ハウジング係合突出部を固定することができる少なくとも１つの対応する凹部を組み込んでいる、請求項１９に記載の装飾部品。
【請求項２４】
一対のカラーを含み、各カラーは、前記溝の両端で前記ハウジングの外面に取り付けられるように構成されている、請求項１７から２３のいずれか一項に記載の装飾部品。
【請求項２５】
前記一対のカラーは、前記溝内で互いに相互接続するように構成されている、請求項２４に記載の装飾部品。
【請求項２６】
前記弾性ライニングが、前記細長い部材を摩擦して把持するための把持要素を備える、請求項１９から２５のいずれか一項に記載の装飾品構成要素。
【請求項２７】
前記装飾要素が、貴石、大理石、貴金属、花崗岩の１つ以上の材料を含む、請求項２２に記載の装飾部品。
【請求項２８】
前記ハウジングが、金属、ポリマー、エラストマーのうちのいずれか１つの材料を含む、請求項１７から２７のいずれか一項に記載の装飾部品。
【請求項２９】
前記弾性ライニングがエラストマーを含む、請求項１９から２７のいずれか一項に記載の装飾部品。
【請求項３０】
添付の図面を参照して実質的に本明細書に記載されている装飾部品。
【請求項３１】
互いに解放可能に接合される第１および第２の反対側の端部を有する宝飾品であって、請求項１７から３０のいずれか一項に記載の少なくとも１つの装飾部品を組み込んでいる宝飾品。
【発明の詳細な説明】
【技術分野】
【０００１】
本発明は、カスタマイズ可能な宝飾品の分野一般に関するもの、およびそのような交換可能な装飾部品を組み込むブレスレット、ネックレスなどの特定の宝飾品に関する。
【０００２】
宝飾品をカスタマイズし、ブレスレットやネックレスに着用者が選択した装飾部品を表示することができるようになる傾向が高まっている。これらの装飾部品は、多くの場合チャームとして説明され、着用者が服装、特定の雰囲気に合うように、または生活の中で重要な出来事を意味するようにそれらを交換することを可能にする。それらは、装飾部品を別々に購入して追加し、自己選択によって購入することを可能にし、贈り物として与えられ、ユーザがいつでも表示したいものを完全に制御することを可能にする。このようなカスタマイズの自由を組み込んだ最も一般的なタイプの宝飾品は、チャームブレスレットとして知られている。
【０００３】
しかし、すでに多くのチャームブレスレットが市場に出回っているが、これらのブレスレットや紐にそれぞれの装飾部品を追加できるように、留め金を外したり変更したりする必要がある。装飾部品の配列の順序を並べ替えるには、通常、ブレスレットからそれぞれの部品を緩めてから再び紐で縛るなどして、いくつかの部品を削除する必要がある。これは、装飾部品の糸通し穴を通過するのに十分に小さくする必要があるか、または糸通しの目的で糸から除去する手段を有する必要があるという点で、留め金またはファスナーに若干の弱点を加える。これを達成する１つの方法は、端部の固定手段を外すことを可能にし、それによって装飾部品を通過させることを可能にすることである。
【０００４】
通常、これらのブレスレットでは、ファスナーの端部部品の１つを紐の端から外して装飾部品に通し、次に紐のもう一方の端に再度固定するために紐の端にねじ直して、ループを作る必要がある。金銭的価値と感情的価値の両方の点から見て、紐に通された価値の高い商品では、留め金がしっかり固定されていることを確認する必要がある。このシステムは、着用者が自分のチャームを自分の好みに合わせて並べ替える可能性が低いか、または新しい装飾部品を追加するためにブレスレットを完全に取り外せる場所にチャームがあることを確認することを意味する。これはまた、例えば装飾部品をブレスレットの中央に配置する場合、すでにブレスレットに取り付けられている装飾部品をすべて取り外す必要があることを意味する。したがって、これらの既存のブレスレットはいくつかのカスタマイズを可能にするが、カスタマイズプロセスを実行することの容易さは、着用者がそれほど頻繁にカスタマイズすることを控えてしまう可能性がある。
【０００５】
通常、既存のブレスレットとネックレスの留め金は多少手間がかかることがわかる。それらは対応する雄型端部部品から雌型端部コネクタを解放するためにある程度の指の器用さを要求する。特に着用者が自分自身で物品を付けたり外したりするときに指の器用さが要求される。そのような留め金および安全機構は、しばしば操作が複雑で扱いにくい。このような物品を固定することは片手だけで実行される必要があるため、これはブレスレット、腕時計ストラップなどを固定しようとするときに特に当てはまる。
【０００６】
さらに、補助固定手段は傷つきやすく、使用中に簡単に損傷する可能性がある。固定手段の側部におけるそれらの位置もまた、宝飾品の全体的なデザインの連続性を損なう可能性がある。
【０００７】
交換可能な装飾部品、またはチャーム付きのカスタマイズ可能なブレスレットやネックレスが数多く市場に出回っている。これらのカスタマイズ可能なブレスレットとネックレスはチャームの互換性の容易さを可能にする方向に向いているが、それらは紐の上の装飾部品を追加または再配置するプロセスを安全で便利にしているように思われない。
【０００８】
先行技術は、様々な方法でニーズに対処しようとするいくつかのデバイスを示している。
【０００９】
米国特許出願公開第２００５１８８５１２号（二宮）は、留め金の外面に便利な解放手段を備えた宝飾品用の留め金を開示しており、それによって解放装置が本体から突出している。留め金は、ピンを本体から解放するために解放装置を引くことを必要とする。既存の宝飾品用の留め金の扱いやすさを改善し、留め金を解放するより便利な配置を提供する方向にいくらか進む一方で、留め金の一端は本体内に配置されなければならないピンを含み、ユーザの器用さを必要とする。
【００１０】
ドイツ特許出願第１０２０１４００２  ４４８号明細書（Ｔｈｏｍａｓ  Ｓａｂｏ  ＧｍｂＨ）は、クロージャの外面上にアクチュエータロック機構およびばね荷重解除ボタンを設けることによって宝飾品を取り外すためにクロージャを解放する便利な手段を提供する、一片の装飾品用クロージャを開示している。クロージャを使用するための器用さの要求を改善し、簡単な操作でクロージャの確実な保持を提供する方向にいくらか向かう一方で、クロージャは偶発的な開放を防ぐためにシャッタロック機能を必要とする。
【００１１】
欧州特許第２６８２０１６号（Ｐａｎｄｏｒａ  ＡＳ）は、把持要素を有する装飾部品を開示している。装飾部品は、装飾部品をブレスレットまたはネックレスの細長い部材に結ばれることを可能にする貫通孔を組み込んでいる。貫通孔は、管状要素と細長い部材を把持するための把持要素とを含むインサート組立体を組み込んでいる。本開示は、宝飾品の細長い部材上に装飾部品を配置して分離し、装飾部品を追加または除去する、あるいは他のものに対するそれらの位置を変更する手段を提案しているが、装飾部品は細長部材から外されなければならない。そのため、宝飾品、そして場合によっては留め金さえも、そうするために外されなければならない。これは、宝飾品を取り除く必要なしに、装飾部品を交換、追加または交換する便利な手段を提供しない。装飾部品の順序を並べ替えるには、目的の場所の前に並んでいるものをすべて取り外す必要がある。
【００１２】
本発明の好ましい実施形態は、ブレスレットまたはネックレスの留め金を外すことなく、既存の装飾部品の再配置、新しい装飾部品を追加することを可能にする、交換可能な装飾部品を有するとカスタマイズ可能なブレスレット又はネックレスジュエリーを提供することを目的とする。本発明は、操作するのに最小限の器用さを必要とし、それ自体が審美的な特徴でもある便利な留め金手段を提供することを目的とする。本発明の目的は、隣接する要素の自由端または単一のループ状要素の隣接する端部を一体に固定するための改良された固定手段を提供することである。
【００１３】
本発明によれば、細長い部材を含む宝飾品のための留め金を提供し、留め金は、細長い部材の第一の端部に固定するための雌型端部部品を含み、雌型端部部品は、押しボタン固定手段を組み込んでおり、細長い部材の第２の端部に固定され、雌型端部部品内に解放可能に固定されるように構成される雄型端部部品を含み、雄型端部部品は、第１押しボタン固定手段の係合部によって作動されるように構成され、これにより、使用時に、第１押しボタン固定手段の係合部分は、雌型端部部品から雄型端部部品が離脱されることを防ぐロック位置と雌型端部部品から雄型端部部品が離脱されることを可能にするロック解除位置との間で移動可能である。
【００１４】
好ましくは、第１押しボタン固定手段は、少なくとも一つの付勢手段を組み込むことができ、少なくとも一つの付勢手段は、係合部をロック位置の第２押しボタン固定手段から離れるようにするように構成される。
【００１５】
好ましくは、第２の押しボタン固定手段は、少なくとも一つの付勢手段を組み込むことができ、少なくとも一つの付勢手段は、第２のプッシュボタン留めの表面部分をロック位置において、第１押しボタン固定手段の係合部分に入るように構成される。
【００１６】
好ましくは、少なくとも１つの付勢手段はばねを含み得る。
【００１７】
第１押しボタン固定手段および第２押しボタン固定手段の軸は、それぞれ雌型端部部品および雄型端部部品の長手方向軸に対して実質的に垂直であり得る。
【００１８】
第１押しボタン固定手段の押しボタン面は、ロック位置にあるとき、雌型端部部品の外面と実質的に面一であってもよい。
【００１９】
第２押しボタン固定手段の表面部分は、ロック位置にあるとき、雄型端部部品の外面から突出してもよい。
【００２０】
好ましくは、第２押しボタン固定手段の表面部分は、ロック位置にあるとき、雌型端部部品から雄型端部部品の離脱を防止するように構成されてもよい。
【００２１】
表面部分は、雌型端部部品の内側表面に当接していてもよい。
【００２２】
係合部は、表面部分をロック位置からロック解除位置にまで離脱するように構成することができ、それによって表面部分は雄型端部部品の外面と実質的に同一平面となる。
【００２３】
雄型端部部品および／または雌型端部部品は、弾性材料を含んでもよい。
【００２４】
弾性材料は、エラストマーであってもよい。エラストマーは高密度ポリウレタンであり得る。
【００２５】
好ましくは、雌型端部部品は少なくとも１つの長手方向スロットを含み、それにより、使用時に、雄型端部部品は前記少なくとも１つのスロット内で嵌合するように構成される。
【００２６】
互いに解放可能に接合されるべき第１および第２の反対側の端部を有する宝飾品であって、宝飾品は、前記のような留め金を組み込んでいる。
【００２７】
本発明によれば、細長い部材を含む宝飾品用装飾部品が提供され、装飾部品は、ハウジング、細長い部材を支持するために前記ハウジングを通過する溝、及びハウジング内のスロットを含み、前記スロットは、実質的に前記溝と平行であり、前記ハウジングの壁を通って前記溝まで通過するように構成され、それにより、使用時に、前記スロットは抵抗するが細長い部材を溝に通すことを可能にするように構成される。
【００２８】
好ましくは、溝は、弾性ライニングを組み込むことができる。
【００２９】
好ましくは、スロットは弾性ライニングを組み込んでもよい。
【００３０】
弾性ライニングは少なくとも一つの突出部を組み込むことができ、それにより、使用時に、少なくとも一つの突出部が溝を通過する細長い部材の移動を妨げることができる。
【００３１】
突出部はリッジ形成部を含んでもよい。
【００３２】
ハウジングは外面内に少なくとも１つの凹部を含んでいてもよく、少なくとも一つの凹部が装飾要素を支持するように構成されることを特徴とします。
【００３３】
弾性ライニングは、外面に少なくとも１つのハウジング係合突出部を組み込んでもよく、ハウジングは、ハウジング係合突出部を内部に固定できる少なくとも１つの対応する凹部を組み込んでもよい。
【００３４】
装飾部品は、一対のカラーを含むことができ、それによって、各溝のいずれかの端部でハウジングの外面に取り付けられるように構成することができる。
【００３５】
一対のカラーは、溝内で互いに相互接続するように構成されてもよい。
【００３６】
弾性ライニングは、摩擦して細長い部材を把持するための把持要素を含んでもよい。
【００３７】
装飾要素は、宝石、大理石、貴金属、花崗岩のうちの１つまたは複数の材料で構成されてもよい。
【００３８】
ハウジングは、金属、ポリマー、エラストマーのうちの１つ以上の材料を含み得る。
【００３９】
弾性ライニングは、エラストマーを含んでもよい。
【００４０】
互いに解放可能に接合されるべき第１および第２の反対側の端部を有する宝飾品は、上記の少なくとも１つの装飾部品を組み込んでいる。
【図面の簡単な説明】
【００４１】
本発明のより良い理解のため、本発明の実施形態の実施方法を示すために、ここで、一例として、添付の図面を参照する。
【００４２】
【図１】図１は、閉位置およびロック位置ある留め金によって接合された細長い部材と、細長い部材に取り付けられた複数の装飾部品とを示す、宝飾品の一実施形態の斜視図を示す。
【図２】図２は、平面図の図１の宝飾品を示す。
【図３】図３は、端面図の図１の宝飾品を示す。
【図４】図４は、分解図の雌型端部部品の一実施形態を示す。
【図５】図５は、分解図の雄型端部部品の一実施形態を示す。
【図６】図６は、図５の雄型端部部品と係合したロック位置にあるときの図４の雌型端部部品の断面図を示す。
【図７】図７ａ〜図７ｄは、装飾部品の一実施形態の４つの図を示す。
【図８】図８は、図７ａ〜図７ｄの装飾部品を分解図で示す。  図中、類似の参照符号は類似または対応する部分を示す。
【発明を実施するための形態】
【００４３】
図１に示すように、宝飾品１は、細長い部材２又はストランド、細長い部材２の第２の端部８に対して第１端部７を固定するための留め金４組み込む。この宝飾品１は、細長い部材２と、細長い部材２の第１の端部７を細長い部材２の第２の端部８に固定する手段とを含むネックレス、ブレスレット、アンクレットまたは同様の品目を含み得る。宝飾品１はまた、指輪、ブローチ、ヘアアクセサリーまたはクリップ、ベルト、ウェアラブル電子機器または腕時計を含み得る。場合によっては、細長い部材２は、第１の端部７が第２の端部８に到達することができ、したがってそれに解放可能に固定されることができることを条件として、非常に短い長さを含み得る。細長い部材２はまた、細長い部材２に解放可能に固定または装着することができるチャーム、宝石用原石または同様の品目の形態の１つまたは複数の装飾部品３を表示することもできる。細長い部材２は、限定されないが、金、銀、または白金などの金属材料を含むことができるが、あるいは織布、ロープ、皮革、ポリマー、エラストマーなどの他の材料、またはそのような宝飾品１に適した材料を含むことができる。
【００４４】
留め金４はまた、細長い部材２の第２の端部８に細長い部材２の第１端部７を解放可能に固定する安全な手段を提供しながら、それ自体に美的価値があることを意図する。留め金４は、第１の端部７を第２の端部８に固定し、第１の端部７を第２の端部８から取り外すのに必要なステップ数を減らすように構成されている。留め金４は、使用者からの最小限の手の支持で宝飾品１の固定および固定解除を可能にするように構成されている。多くの状況において、これは片手だけを使用して達成され得る。留め金４は、雌型端部部品５と、雌型端部部品５内に少なくとも部分的に収容されるように構成された雄型端部部品６とを備える。雌型端部部品５および雄型端部部品６は、細長い部材２の第１端部７および第２端部８に恒久的に固定されるように意図されている。雌型端部部品５は、雄型端部部品６を見ることができる少なくとも１つのスロット１９または切欠きを含むことができる。雄型端部部品６は、係合位置またはロック位置にあるときに雌型端部部品５の外面および雄端部構成要素６の外面が面一になるように、スロット１９と嵌合しかつスロット１９内に嵌合するように構成され得る。
【００４５】
雌型端部部品５と雄型端部部品６は、宝飾品１の細長い部材２の第一の端部７及び第２の端部８に別の同様の手段によって溶接、半田付け、接着、またはしっかりと固定することができる。この接合を支持するために、１つ以上のワッシャ１３のような追加の要素が必要とされ得る。ロック状態にある留め金４は、平面図では、長方形または横長図形、円形、または三角形を含み得る。雌型端部部品５は、実質的に球形のハウジング、あるいは実質的に立方体のハウジングを含むことができ、これらはいずれも図示されていない。
【００４６】
図２及び３は、ブレスレットとして示される宝飾品１の一実施形態のさらなる図を示す。図２は平面図を示し、雄型端部部品６を見ることができる雌型端部部品５のスロット１９を示す。留め金４には第１の押しボタン固定手段９が設けられ、それによって第１の押しボタン固定手段９の外面または押しボタン面は、押し下げられた状態または中立状態で押しボタン面が雌型端部部品５の外面と同一平面上にあるように固定されてもよい。品目が着用されているときにユーザが第１の押しボタン固定手段９を容易かつ便利に押し下げて、固定手段を解除し、雌型端部部品５を雄型端部部品６から取り外し、したがって第１の端部７を第２の端部８から取り外すことで、宝飾品１を取り外すことができるように、第１の押しボタン固定手段が宝飾品１の着用者に容易にアクセスできることが重要である。
【００４７】
図１、図２及び図３は、細長い部材２の長さ全体にわたって所望の位置で細長い部材２に取り外し可能に固定され又は取り付けられている装飾部品３又は同実施形態の３つを示す。装飾部品３は、それらが細長い部材２上に配置され、互いに独立して細長い部材２から取り外されることができるように、留め金４を開く必要も、又は宝飾品１を取り外す必要もないように構成される。これは、留め金４を開きおよび／または取り外す必要がなく、また他の装飾部品３を取り外す必要もなく、装飾部品３の配置を細長い部材２に沿って容易に並べ替えおよび再配置できることを意味する。
【００４８】
図４は分解図で留め金４の雌型端部部品５の一実施形態を示す。雌型端部部品５は、細長い部材２の第１の端部７にワッシャ１３またはリングおよびプッシュフィット式締結手段を組み込むことが示されている。第１の端部７には、雌型端部部品５に固定するためのピンが設けられている。第１の押しボタン固定手段９は、この図には示されていない雄型端部部品６の対応する固定手段と係合するための少なくとも１つの係合部分１０を含む。これらの係合部分１０は、第１の押しボタン固定手段９の押しボタン面と同じ要素の一部を形成してもよく、あるいは第１の押しボタン固定手段９の押しボタン面に固定されるかまたは動作可能に接続される別個の要素を含んでもよい。第１の押しボタン固定手段９は、押しボタンが解放された後に第１の押しボタン固定手段９をその元の位置に戻すように構成された１つ以上の付勢手段１１を含み得る。
【００４９】
付勢手段１１は、１つ以上のバネを備えてもよく、必要に応じて、これらのバネを支持するために第１の押しボタン固定手段９に追加のプレート１２または平面部分を設けてもよい。あるいは、またはこれらのプレート１２に加えて、雌型端部部品５のハウジングは、第１の押しボタン固定手段９および少なくとも１つの付勢手段１１を支持するための内部手段を組み込んでもよい。
【００５０】
図４は、雌型端部部品５の実質的に長さ方向に沿って切り欠きを提供する１つの長手方向スロット１９との分解図で雌型端部部品５の一の実施形態を示しており、雌型端部部品５の壁にスロット１９を提供して、雄型端部部品６を解放可能に固定することができる雌型端部部品５のキャビティを明らかにする。そのような配置における雌型端部部品５の端面図は、Ｃ字形を含むであろう。長手方向スロット１９は、雌型端部部品５内に雄型端部部品６を配置するのに役立ち、また、雄型端部部品６が正しい位置にあることをユーザが確認するのに役立ち得る。雌型端部部品５の壁内に複数の長手方向スロット１９を設けることができる。あるいは、スロットは、図示されていない雌型端部部品５の開口部を貫通しないことがある。
【００５１】
図５は、第２の押しボタン固定手段１４の一実施形態は、第２の押しボタン固定手段１４の表面部分１５が、雄型端部部品１７の外面に設けられているように取り付けられるように構成された第２の押しボタン固定手段１４を示す分解図で雄型端部部品６の一の実施形態を示す。表面部分１５は、第１押しボタン固定手段９の係合部１９と係合するように構成されている。
【００５２】
細長い部材２の第２の端部８は、再び雄型端部部品６に実質的に永久的に固定するための手段が設けられている。第２の押しボタン固定手段１４は、少なくとも１つの付勢手段１１を含み、また付勢手段１１を支持するための１つ以上のプレート１２をも含み得る。付勢手段１１は、図示のようにばねを含むことができる。付勢手段１１は、雌型端部部品５の第１の押しボタン固定手段９の係合部分１０がそれに作用しなくなったときに、第２の押しボタン固定手段１４の表面部分１５を中立位置または上昇位置に戻す。
【００５３】
使用において、雄型端部部品６に雌型端部部品５を結合するために、雄型端部部品６は、雌型端部部品５に押し込むことができる。表面部分１５は、雄型端部部品１７の外面から隆起しているが、雌型端部部品５にエントリーしたときに、雌型端部部品１８の内面によって雄型端部部品１７の外面と面一になるように押し下げられるように構成される。雄型端部部品６を雌型端部部品５内に押し込むことによって、第２の押しボタン固定手段１４が押されて、雄型端部部品６を雌型端部部品６内の所定位置に滑動させる。係合位置またはロック位置になると、第２の押しボタン固定手段１４の付勢手段１１は、第２の押しボタン固定手段の表面部分１５を上昇位置に戻すように付勢する。上昇位置にあるとき、第２の押しボタン固定手段１４の表面部分１５は、雌型端部部品５に対する雄型端部部品６の移動を防止する。上昇位置にある表面部分１５は、長手方向の移動を防止するために雌型端部部品１８の内面に当接する。
【００５４】
図６は、雄型端部部品６が雌型終端部品５に接続されている留め金４の断面図を示す。この図は、雌型端部部品１８の内面に引っかかり、したがって長手方向への移動を妨げるように、雄型端部部品１７の外面から持ち上がった表面部分１５を示す。
【００５５】
留め金４を解放し、かつ雌型端部構成要素５からの雄型端部部品６を切断するには、ユーザが最初に押しボタン固定手段９の押しボタン表面を押す。第１押しボタン固定手段９を押すと、係合部分１０が第２押しボタン固定手段１４の表面部分１５または押しボタン表面に作用する。表面部分１５は係合解除位置に移動され、ここで表面部分１５は雄型端部部品１７の外面と実質的に同一平面上にあり、もはや雌型端部部品１８の内面に引っかかることはない。表面部分１５がもはや上昇状態にないと、雄型端部部品６を雌型端部部品５からスライドさせることができる。長手方向スロット１９は、雄型端部部品６を雌型端部部品５から自由にスライドさせることによってユーザを支持するための手段を提供し得る。
【００５６】
雌型端部部品１８の内面は、第２の押しボタン固定手段１４の表面部分１５が、雌型端部部品５の外側にあるまで、付勢手段１１によって上昇位置に戻ることを妨げる。雌型端部部品５から自由になると、付勢手段１１は表面部分１５を上昇位置に戻すように促す。
【００５７】
それ故、留め金４は、他の人の助けを必要とせずに、着用者によって開閉され、またはロックおよびロック解除されることができる。留め金４はまた、宝飾品１を着用者に固定するための確実な手段も提供する。留め金４はそれ自体で審美的特徴を提供する。留め金４は、複雑で手間のかかる固定手段を含まない。留め金４の可動部分は、雌型端部部品５と雄型端部部品６内に実質的に収容されているので、これらの可動部は汚れや残骸から保護される。
【００５８】
図７ａから図７ｄは装飾部品３の一実施形態を示す。その基本的な形態において、装飾部品３は、Ｃ字形のハウジング２０、またはハウジング２０の一端から他端まで通過する溝２１と、溝２１を通過するスロット２２とを備えたハウジング２０を備える。溝２１およびスロット２２は、ハウジング２０のＣ字形を作り出す切り欠きを提供する。スロット２２は、わずかな力で装飾部品３をスロット２２を通して細長い部材２に取り付けることができるように、それが解放可能に取り付けられる細長い部材２と同じ寸法になるように構成される。細長い部材２が溝２１に到達すると、それが意図せずにスロット２２を通過して戻ることができないように、スロット２２は、装飾部品３がいくらかの抵抗はあるがそれを通過することを可能にする。溝２１は、装飾部品３が宝飾品１の細長い部材２を通ることができるように、細長い部材２よりも直径が大きい寸法になるように構成される。
【００５９】
装飾部品３のハウジング２０の溝２１は、弾性ライニング２３を設け、それによって細長い部材２に把持手段を提供する。弾性ライニングは、着用者が細長い部材２に沿ってそれらを滑らせることによって装飾部品３を再配置したいときなどに、細長い部材２に沿った装飾部品３の意図しない移動を防止するように構成され得る。弾性ライニング２３はまた、スロット２２の長さを覆い、細長い部材２の通過に対する抵抗を生み出すのを助ける。溝２１の弾性ライニング２３は、図示されていないスロットの弾性ライニング２３とは別の要素であってもよい。
【００６０】
弾性ライニング２３は、細長い部材２に沿った位置に装飾部品３を支持するための追加の停止手段又は把持手段を提供するために、一つ以上の突出部２９を組み込むことができる。この突出部２９は、溝２１の長さに沿って延びる単一の細長いリッジを含み得る。あるいは、突出部２９は隆起したドットを含んでもよい。
【００６１】
装飾部品３のハウジング２０は、審美的な材料から形成され、したがって、美的価値を提供することができる。材料は、宝石、貴石、貴金属、大理石、花崗岩のうちの任意の１つ以上を含み得るが、これらに限定されない。あるいは、ハウジング２０は、個々の宝石のような、図示されていない１つ以上の装飾要素２４を組み込んでもよい。これらの装飾要素２４は、ハウジング２０の凹部内に配置されていてもよく、あるいはハウジング２０の表面（図示せず）に取り付けられていてもよい。
【００６２】
装飾部品３は、溝２１の両端に開口部を取り囲むカラー２８の対を組み込むことができる。カラー２８は弾性ライニング２３を定位置に支持することができる。カラー２８は、ハウジング２０の各端部の凹部内に嵌合することができ、そして溝２１の中央に互いに接続するための手段を組み込むことができる。
【００６３】
弾性ライニング２３は、ライニング外面２６内に、ハウジング２０内の対応する凹部内に嵌合するハウジング係合突出部２５を組み込んで、弾性ライニング２３を定位置に支持する手段を提供することができる。弾性ライニング２３は、ハウジング２０の内面に接着剤で接合されてもよい。
【図１】
2019537488.tif 000003
【図２】
2019537488.tif 000004
【図３】
2019537488.tif 000005
【図４】
2019537488.tif 000006
【図５】
2019537488.tif 000007
【図６】
2019537488.tif 000008
【図７】
2019537488.tif 000009
【図８】
2019537488.tif 000010
【国際調査報告】
2019537488.tif 000011
2019537488.tif 000012
2019537488.tif 000013
2019537488.tif 000014
2019537488.tif 000015
2019537488.tif 000016